(57)【要約】  第１光源から発せられた記録用の第１レーザビームと第１光源から発せられた記録用の第２レーザビームとを合成して同軸に導く合成プリズムと、合成プリズムからの第１及び第２レーザビームを光記録媒体に向けて集光させる対物レンズと、第１レーザビームの記録層からの反射光を検出する第１光検出手段と、第２レーザビームのガイド層からの反射光を検出する第２光検出手段と、第２光源と合成プリズムとの間の第２レーザビームの光路上に配置され対物レンズに入射する第２レーザビームを拡散又は収束させる倍率変換素子と、第１光検出手段の出力信号に基づいて第１レーザビームの集光スポット位置と記録層との誤差を示す第１フォーカスエラー信号を生成する第１フォーカスエラー生成手段と、第２光検出手段の出力信号に基づいて第２レーザビームの集光スポット位置とガイド層との誤差を示す第２フォーカスエラー信号を生成する第２フォーカスエラー生成手段と、第１フォーカスエラー信号に応じて対物レンズをその光軸方向に制御する第１フォーカス制御手段と、第２フォーカスエラー信号に応じて倍率変換素子による第２レーザビームの拡散又は収束の大きさを制御する第２フォーカス制御手段と、を備える光記録媒体ドライブ装置。
2010122659.tif 000002
【特許請求の範囲】
【請求項１】
ガイドトラックが形成されたガイド層と記録層とが離間して積層されたガイド層分離型の光記録媒体の前記記録層に対して前記ガイドトラックに従って情報の光学的な記録を行う光記録媒体ドライブ装置であって、
記録用の第１レーザビームを発生する第１光源と、
ガイド用の第２レーザビームを発生する第２光源と、
前記第１レーザビームと前記第２レーザビームとを合成して同軸に導く合成プリズムと、
前記合成プリズムからの前記第１及び第２レーザビーム各々を前記光記録媒体に向けて集光させる対物レンズと、
前記第１レーザビームの前記記録層からの反射光を検出する第１光検出手段と、
前記第２レーザビームの前記ガイド層からの反射光を検出する第２光検出手段と、
前記第２光源と前記合成プリズムとの間の前記第２レーザビームの光路上に配置され前記対物レンズに入射する前記第２レーザビームを拡散又は収束させる倍率変換素子と、
前記第１光検出手段の出力信号に基づいて前記第１レーザビームの集光スポット位置と前記記録層との誤差を示す第１フォーカスエラー信号を生成する第１フォーカスエラー生成手段と、
前記第２光検出手段の出力信号に基づいて前記第２レーザビームの集光スポット位置と前記ガイド層との誤差を示す第２フォーカスエラー信号を生成する第２フォーカスエラー生成手段と、
前記第１フォーカスエラー信号に応じて前記対物レンズをその光軸方向に制御する第１フォーカス制御手段と、
前記第２フォーカスエラー信号に応じて前記倍率変換素子による前記第２レーザビームの拡散又は収束の大きさを制御する第２フォーカス制御手段と、を備えることを特徴とする光記録媒体ドライブ装置。
【請求項２】
前記第２光検出手段の出力信号に基づいて前記第２レーザビームの集光スポット位置と前記ガイド層のガイドトラックとの誤差を示すトラッキングエラー信号を生成するトラッキングエラー生成手段と、
前記トラッキングエラー信号に応じて前記対物レンズをその光軸方向に垂直な方向に駆動制御するトラッキング制御手段と、
前記第１光源と前記合成プリズムとの間の前記第１レーザビームの光路上に配置された球面収差補正素子と、
前記球面収差補正素子による球面収差の補正状態を制御する球面収差制御手段と、
前記第１フォーカス制御手段、前記第２フォーカス制御手段、前記トラッキング制御手段及び前記球面収差制御手段各々に対して指令を発するメイン制御手段と、を更に備えることを特徴とする請求項１記載の光記録媒体ドライブ装置。
【請求項３】
前記メイン制御手段は、前記球面収差制御手段により前記球面収差補正素子を前記記録層の再生に最適な補正状態に制御させ、
前記第１フォーカス制御手段に前記第１レーザビームの焦点が前記記録層上に位置するように前記第１フォーカスエラー信号に応じて前記対物レンズを制御させ、
前記第２フォーカス制御手段に前記第２レーザビームの焦点が前記ガイド層に位置するように第２フォーカスエラー信号に応じて前記倍率変換素子を制御させ、
前記第２光検出手段の出力信号に基づいて記録媒体情報を読み取り、
前記トラッキング制御手段に前記第２レーザビームの集光スポット位置が前記ガイド層のガイドトラック上に位置するように前記トラッキングエラー信号に応じて前記対物レンズを制御させ、
前記第１レーザビームを変調して前記記録層への記録を開始させることを特徴とする請求項２記載の光記録媒体ドライブ装置。
【請求項４】
前記メイン制御手段は、前記球面収差制御手段により前記球面収差補正素子を前記記録層の再生に最適な補正状態に制御させ、
前記第１フォーカス制御手段に前記第１レーザビームの焦点が前記記録層上に位置するように前記第１フォーカスエラー信号に応じて前記対物レンズを制御させ、
前記第２フォーカス制御手段に前記倍率変換素子を前記記録層の再生に最適な補正状態に制御させ、
前記第２光検出手段の出力信号に基づいたＲＦ信号の振幅が所定の大きさ以上となるまで前記第１フォーカス制御手段による前記対物レンズの制御により前記第１レーザビームの焦点をフォーカスジャンプさせ、
前記第２フォーカス制御手段に前記第２レーザビームの焦点が前記ガイド層に位置するように第２フォーカスエラー信号に応じて前記倍率変換素子を制御させ、
前記トラッキング制御手段に前記第２レーザビームの集光スポット位置が前記ガイド層のガイドトラック上に位置するように前記トラッキングエラー信号に応じて前記対物レンズを制御させ、
前記第２光検出手段の出力信号に基づいて記録媒体情報を読み取り、
前記第１レーザビームを変調して前記記録層への記録を開始させることを特徴とする請求項２記載の光記録媒体ドライブ装置。
【請求項５】
前記メイン制御手段は、前記球面収差制御手段により前記球面収差補正素子を前記記録層の再生に最適な補正状態に制御させ、
前記第１フォーカス制御手段に前記第１レーザビームの焦点が前記ガイド層上に位置するように前記第１フォーカスエラー信号に応じて前記対物レンズを制御させ、
前記第２フォーカス制御手段に前記第２レーザビームの焦点が前記ガイド層に位置するように前記倍率変換素子を制御させ、
前記トラッキング制御手段に前記第２レーザビームの集光スポット位置が前記ガイド層のガイドトラック上に位置するように前記トラッキングエラー信号に応じて前記対物レンズを制御させ、
前記第２フォーカス制御手段に前記第２レーザビームの焦点がガイド層に位置するように第２フォーカスエラー信号に応じて前記倍率変換素子を制御させ、
前記第１フォーカス制御手段による前記対物レンズの制御により前記第１レーザビームの焦点を前記記録層へフォーカスジャンプさせ、
前記第２光検出手段の出力信号に基づいて記録媒体情報を読み取り、
前記第１レーザビームを変調して前記記録層への記録を開始させることを特徴とする請求項２記載の光記録媒体ドライブ装置。
【請求項６】
前記第１光検出手段の出力信号に基づいて前記第１レーザビームの集光スポット位置と前記ガイド層のガイドトラックとの誤差を示す第１トラッキングエラー信号を生成する第１トラッキングエラー生成手段と、
前記第２光検出手段の出力信号に基づいて前記第２レーザビームの集光スポット位置と前記ガイド層のガイドトラックとの誤差を示す第２トラッキングエラー信号を生成する第２トラッキングエラー生成手段と、
前記トラッキングエラー信号に応じて前記対物レンズをその光軸方向に垂直な方向に駆動制御するトラッキング制御手段と、
前記第１光源と前記合成プリズムとの間の前記第１レーザビームの光路上に配置された球面収差補正素子と、
前記球面収差補正素子による球面収差の補正状態を制御する球面収差制御手段と、
前記第１フォーカス制御手段、前記第２フォーカス制御手段、前記トラッキング制御手段及び前記球面収差制御手段各々に対して指令を発するメイン制御手段と、を更に備えることを特徴とする請求項１記載の光記録媒体ドライブ装置。
【請求項７】
前記メイン制御手段は、前記球面収差制御手段により前記球面収差補正素子を前記ガイド層の再生に最適な補正状態に制御させ、
前記第１フォーカス制御手段による前記第１フォーカスエラー信号に応じた前記対物レンズの制御により前記第１レーザビームの焦点を前記ガイド層上に位置させ、
前記トラッキング制御手段に前記第１レーザビームの集光スポット位置が前記ガイド層のガイドトラック上に位置するように前記第１トラッキングエラー信号に応じて前記対物レンズを制御させ、
前記第１光検出手段の出力信号に基づいて記録媒体情報を読み取る手段と、
前記第２フォーカス制御手段に前記第２レーザビームの焦点が前記ガイド層に位置するように前記倍率変換素子を制御させ、
前記第２フォーカス制御手段に前記第２レーザビームの焦点がガイド層に位置するように第２フォーカスエラー信号に応じて前記倍率変換素子を制御させ、
前記トラッキング制御手段に前記第２レーザビームの集光スポット位置が前記ガイド層のガイドトラック上に位置するように前記トラッキングエラー信号に応じて前記対物レンズを制御させ、
前記第１フォーカス制御手段による前記対物レンズの制御により前記第１レーザビームの焦点を前記記録層へフォーカスジャンプさせ、
前記第１レーザビームを変調して前記記録層への記録を開始させることを特徴とする請求項６記載の光記録媒体ドライブ装置。
【請求項８】
前記第１フォーカス制御手段は、前記第１フォーカスエラー信号又は前記第２フォーカスエラー信号に応じて前記対物レンズをその光軸方向に制御し、
前記光記録媒体ドライブ装置は、
前記第２光検出手段の出力信号に基づいて前記第２レーザビームの集光スポット位置と前記ガイド層のガイドトラックとの誤差を示すトラッキングエラー信号を生成するトラッキングエラー生成手段と、
前記トラッキングエラー信号に応じて前記対物レンズをその光軸方向に垂直な方向に駆動制御するトラッキング制御手段と、
前記第１光源と前記合成プリズムとの間の前記第１レーザビームの光路上に配置された球面収差補正素子と、
前記球面収差補正素子による球面収差の補正状態を制御する球面収差制御手段と、
前記第１フォーカス制御手段、前記第２フォーカス制御手段、前記トラッキング制御手段及び前記球面収差制御手段各々に対して指令を発するメイン制御手段と、を更に備えることを特徴とする請求項１記載の光記録媒体ドライブ装置。
【請求項９】
前記メイン制御手段は、前記第１フォーカス制御手段により前記第２レーザビームの焦点が前記ガイド層上に位置するように前記第２フォーカスエラー信号に応じて前記対物レンズを制御させ、
前記第２フォーカス制御手段により前記第２レーザビームの球面収差を最適化するように前記倍率変換素子を制御させ、
前記トラッキング制御手段に前記第２レーザビームの集光スポット位置が前記ガイド層のガイドトラック上に位置するように前記トラッキングエラー信号に応じて前記対物レンズを制御させ、
前記第２光検出手段の出力信号に基づいて記録媒体情報を読み取り、
前記第２フォーカス制御手段に前記第１レーザビームによる前記記録層への記録に適した作動距離にするように前記倍率変換素子を制御させ、
前記球面収差制御手段により前記第１レーザビームの焦点が前記記録層上付近に位置するように制御させ、
前記第１フォーカス制御手段に前記第１レーザビームの焦点が前記記録層上に位置するように前記第２フォーカスエラー信号に代えて前記第１フォーカスエラー信号に応じて前記対物レンズを制御させ、
前記第２フォーカス制御手段に前記第２レーザビームの焦点がガイド層に位置するように第２フォーカスエラー信号に応じて前記倍率変換素子を制御させ、
前記第１レーザビームを変調して前記記録層への記録を開始させることを特徴とする請求項８記載の光記録媒体ドライブ装置。
【請求項１０】
前記球面収差補正素子及び前記倍率変換素子は２つの光軸を同一とする補正レンズからなるケプラー型のエキスパンダレンズからなり、その２つの補正レンズの一方が光軸方向に移動可能にされていることを特徴とする請求項２、６、８のいずれか１記載の光記録媒体ドライブ装置。
【請求項１１】
ガイドトラックが形成されたガイド層と記録層とが離間して積層されたガイド層分離型の光記録媒体の前記記録層に対して前記ガイドトラックに従って情報の光学的な記録を行うために、
記録用の第１レーザビームを発生する第１光源と、
ガイド用の第２レーザビームを発生する第２光源と、
前記第１レーザビームと前記第２レーザビームとを合成して同軸に導く合成プリズムと、
前記合成プリズムからの前記第１及び第２レーザビーム各々を前記光記録媒体に向けて集光させる対物レンズと、
前記第１レーザビームの前記記録層からの反射光を検出する第１光検出手段と、
前記第２レーザビームの前記ガイド層からの反射光を検出する第２光検出手段と、
前記第２光源と前記合成プリズムとの間の前記第２レーザビームの光路上に配置され前記対物レンズに入射する前記第２レーザビームを拡散又は収束させる倍率変換素子と、
前記第１光源と前記合成プリズムとの間の前記第１レーザビームの光路上に配置された球面収差補正素子と、を備える光記録媒体ドライブ装置の記録方法であって、
前記球面収差補正素子を前記記録層の再生に最適な補正状態に制御し、
前記第１レーザビームの焦点が前記記録層上に位置するように前記第１フォーカスエラー信号に応じて前記対物レンズを制御し、
前記第２レーザビームの焦点が前記ガイド層に位置するように第２フォーカスエラー信号に応じて前記倍率変換素子を制御し、
前記第２レーザビームの集光スポット位置が前記ガイド層のガイドトラック上に位置するように前記トラッキングエラー信号に応じて前記対物レンズを制御し、
前記第２光検出手段の出力信号に基づいて記録媒体情報を読み取り、
前記第１レーザビームを変調して前記記録層への記録を開始させることを特徴とする記録方法。
【発明の詳細な説明】
【技術分野】
【０００１】
本発明は、ガイド層分離型の光記録媒体のドライブ装置及び記録方法に関する。
【背景技術】
【０００２】
多数の記録層を備える光ディスクとして、各記録層とガイド層とが分離形成されたガイド層分離型のディスクがある。ガイド層分離型のディスクについて情報を記録再生する光ディスクドライブ装置においては、ガイド層からガイドトラックを読み取るためのガイド用のレーザビーム（ガイド光）と、記録層に対して情報を書き込む又は記録情報を読み取るための記録再生用のレーザビーム（記録再生光）とが必要となる。従って、光ディスク記録再生装置には、ガイド用のレーザビームを光ディスクのガイド層に照射してその反射光を受光するガイド光学系と、記録再生用のレーザビームを光ディスクのいずれか記録層に照射してその反射光を受光する記録再生光学系とが備えられており、ガイド光学系及び記録再生光学系では１つの対物レンズが共用されている。【０００３】
従来の光ディスクドライブ装置において、１つの記録層への情報記録時には、ガイド用のレーザビームの焦点位置を対物レンズ駆動のフォーカスサーボ制御及びトラッキングサーボ制御によりガイド層のガイドトラック上を移動させる一方、記録再生光学系のコリメータレンズを光軸方向に移動させて記録再生用のレーザビームを１つの記録層に対して集光させて情報を書き込むことが行われる（特許文献１参照）。別の方法としては、ガイド用のレーザビームの焦点位置を対物レンズ駆動のフォーカスサーボ制御及びトラッキングサーボ制御によりガイド層のガイドトラック上を移動させる一方、ガイド光学系のコリメータレンズを光軸方向に移動させることにより光ディスクと対物レンズとの距離（作動距離ＷＤ）を変化させてガイド用のレーザビームのフォーカス状態を維持した状態で焦点位置記録再生用のレーザビームを１つの記録層に対して集光させて情報を書き込むことが行われる（特許文献２参照）。
【先行技術文献】
【特許文献】
【０００４】
【特許文献１】特許第４０３７０３４号
【特許文献２】特許第３４５５１４４号
【発明の開示】
【発明が解決しようとする課題】
【０００５】
しかしながら、ガイド層分離型のディスク対応の従来の光ディスクドライブ装置においては、記録再生光の記録層へのフォーカスサーボ制御を記録再生光学系又はガイド光学系に備えられたコリメータレンズを光軸方向に移動させて対物レンズに入射する記録再生光の拡散具合を変化させることにより行っているので、情報記録時に記録再生光の記録層へのフォーカスサーボ制御の精度や安定性に欠けるという問題があった。特に、外乱や光ディスクの面ぶれ等の不安定要因が発生すると、ガイド光のフォーカスサーボ制御で駆動される対物レンズ自体が光軸方向で予測できない動きをすることになり、記録再生光の集光スポットの位置がその対物レンズの予測できない動きのために、記録再生光の記録層へのフォーカスサーボ制御の精度や安定性に悪影響を及ぼすことになる。【０００６】
そこで、本発明が解決しようとする課題には、上記の欠点が一例として挙げられ、ガイド層分離型の光記録媒体に記録する際に高精度で安定してガイド光をガイド層のガイドトラックに追従させつつ目標の記録層に記録光を集光させて情報を記録することができる光記録媒体ドライブ装置及び記録方法を提供することを目的とする。
【課題を解決するための手段】
【０００７】
請求項１に係る発明の光記録媒体ドライブ装置は、ガイドトラックが形成されたガイド層と記録層とが離間して積層されたガイド層分離型の光記録媒体の前記記録層に対して前記ガイドトラックに従って情報の光学的な記録を行う光記録媒体ドライブ装置であって、記録用の第１レーザビームを発生する第１光源と、ガイド用の第２レーザビームを発生する第２光源と、前記第１レーザビームと前記第２レーザビームとを合成して同軸に導く合成プリズムと、前記合成プリズムからの前記第１及び第２レーザビーム各々を前記光記録媒体に向けて集光させる対物レンズと、前記第１レーザビームの前記記録層からの反射光を検出する第１光検出手段と、前記第２レーザビームの前記ガイド層からの反射光を検出する第２光検出手段と、前記第２光源と前記合成プリズムとの間の前記第２レーザビームの光路上に配置され前記対物レンズに入射する前記第２レーザビームを拡散又は収束させる倍率変換素子と、前記第１光検出手段の出力信号に基づいて前記第１レーザビームの集光スポット位置と前記記録層との誤差を示す第１フォーカスエラー信号を生成する第１フォーカスエラー生成手段と、前記第２光検出手段の出力信号に基づいて前記第２レーザビームの集光スポット位置と前記ガイド層との誤差を示す第２フォーカスエラー信号を生成する第２フォーカスエラー生成手段と、前記第１フォーカスエラー信号に応じて前記対物レンズをその光軸方向に制御する第１フォーカス制御手段と、前記第２フォーカスエラー信号に応じて前記倍率変換素子による前記第２レーザビームの拡散又は収束の大きさを制御する第２フォーカス制御手段と、を備えることを特徴としている。【０００８】
請求項１１に係る発明の光記録媒体ドライブ装置の記録方法は、ガイドトラックが形成されたガイド層と記録層とが離間して積層されたガイド層分離型の光記録媒体の前記記録層に対して前記ガイドトラックに従って情報の光学的な記録を行うために、記録用の第１レーザビームを発生する第１光源と、ガイド用の第２レーザビームを発生する第２光源と、前記第１レーザビームと前記第２レーザビームとを合成して同軸に導く合成プリズムと、前記合成プリズムからの前記第１及び第２レーザビーム各々を前記光記録媒体に向けて集光させる対物レンズと、前記第１レーザビームの前記記録層からの反射光を検出する第１光検出手段と、前記第２レーザビームの前記ガイド層からの反射光を検出する第２光検出手段と、前記第２光源と前記合成プリズムとの間の前記第２レーザビームの光路上に配置され前記対物レンズに入射する前記第２レーザビームを拡散又は収束させる倍率変換素子と、前記第１光源と前記合成プリズムとの間の前記第１レーザビームの光路上に配置された球面収差補正素子と、を備える光記録媒体ドライブ装置の記録方法であって、前記球面収差補正素子を前記記録層の再生に最適な補正状態に制御し、前記第１レーザビームの焦点が前記記録層上に位置するように前記第１フォーカスエラー信号に応じて前記対物レンズを制御し、前記第２レーザビームの焦点が前記ガイド層に位置するように第２フォーカスエラー信号に応じて前記倍率変換素子を制御し、前記第２レーザビームの集光スポット位置が前記ガイド層のガイドトラック上に位置するように前記トラッキングエラー信号に応じて前記対物レンズを制御し、前記第２光検出手段の出力信号に基づいて記録媒体情報を読み取り、前記第１レーザビームを変調して前記記録層への記録を開始させることを特徴としている。
【発明を実施するための形態】
【０００９】
請求項１に係る発明の光記録媒体ドライブ装置及び請求項１１に係る発明の記録方法によれば、第１レーザビームの集光スポット位置と光記録媒体の記録層との誤差を示す第１フォーカスエラー信号に応じて対物レンズをその光軸方向に制御し、第２レーザビームの集光スポット位置と光記録媒体のガイド層との誤差を示す第２フォーカスエラー信号に応じて倍率変換素子による第２レーザビームの拡散又は収束の大きさを制御し、これにより第１レーザビームを記録層上に集光させ、第２レーザビームをガイド層上に集光させるので、ガイド層分離型の光記録媒体に記録する際に高精度で安定してガイド光をガイド層のガイドトラックに追従させつつ目標の記録層に記録光を集光させて情報を記録することができる。
【図面の簡単な説明】
【００１０】
【図１】本発明の実施例として光ディスクドライブ装置の構成を示す図である。
【図２】開口制限素子の開口径を示す図である。
【図３】開口制限素子の波長に対する透過率を示す図である。
【図４】図１の装置の記録動作を示すフローチャートである。
【図５】対物レンズの移動による記録再生光の焦点位置及び倍率変換素子の補正レンズの移動による焦点位置を示す図である。
【図６】図１の装置の他の記録動作を示すフローチャートである。
【図７】図１の装置の他の記録動作を示すフローチャートである。
【図８】本発明の他の実施例として光ディスクドライブ装置の構成を示す図である。
【図９】図８の装置の記録動作を示すフローチャートである。
【図１０】本発明の他の実施例として光ディスクドライブ装置の構成を示す図である。
【図１１】図１０の装置の記録動作を示すフローチャートである。
【図１２】球面収差補正素子の補正レンズの移動位置に対する記録再生フォーカスエラー信号の強度を示す図である。
【図１３】倍率変換素子の補正レンズの移動位置に対するガイドフォーカスエラー信号の強度を示す図である。
【実施例】
【００１１】
以下、本発明の実施例を図面を参照しつつ詳細に説明する。【００１２】
図１は、本発明が適用された多層光ディスク記録再生装置の構成を示している。この多層光ディスク記録再生装置は、ディスク駆動系、光学系、及び信号処理系からなり、多数の記録層が積層された光ディスク１に対して情報の記録／再生を光学的に行うものである。この実施例では光ディスク１には３つの記録層Ｌ２〜Ｌ０と１つのガイド層ＧＬとが分離形成されているとする。記録層Ｌ２，Ｌ１，Ｌ０はその順で光ディスク１のレーザビームの入射表面から奥に位置する。ガイド層ＧＬは記録層Ｌ０より更に奥に位置する。ガイド層ＧＬにはディスク情報が記録されたガイドトラックが形成されている。ディスク情報は例えば、ガイド層ＧＬの最内周のガイドトラックに予め形成されており、ディスクの記録条件、ディスクの種類、記録層数、記録層間隔等のディスクの固有情報及びアドレス情報（位置情報）からなる。【００１３】
ディスク駆動系は図１に示していないが、クランプ機構及びディスク回転駆動用のモータを有し、光ディスク１をクランプ機構によって挟み込むように保持してそれをモータによって回転させる構造を備えている。【００１４】
光学系は更に記録再生光学系と、ガイド光学系とに分けられる。【００１５】
記録再生光学系は、光源１１、コリメータレンズ１２、ビームスプリッタ１３、球面収差補正素子１４、合成プリズム１５、開口制限素子１６、１／４波長板１７、対物レンズ１８、マルチレンズ１９、及び光検出器２０を備えている。【００１６】
光源１１は波長４０５ｎｍの記録再生用のレーザビーム（第１レーザビーム）、すなわち記録再生光を出射する半導体レーザ素子である。光源１１から出射されるレーザビームはｐ偏光となるように調整されている。コリメータレンズ１２は光源１１によって出射されたレーザビームを平行光に変換してビームスプリッタ１３に供給する。ビームスプリッタ１３は偏光ビームスプリッタ（ＰＢＳ）であり、コリメータレンズ１２からのレーザビーム入射面に対して４５度の分離面を有し、コリメータレンズ１２から供給されたｐ偏光の平行レーザビームを分離面をそのまま通過させて球面収差補正素子１４に供給する。【００１７】
球面収差補正素子１４はケプラー型のエキスパンダレンズからなり、第１及び第２の補正レンズ１４ａ，１４ｂを備え、第１の補正レンズ１４ａはアクチュエータ１４ｃによって駆動され、光軸方向（矢印Ａ）に移動可能にされている。初期状態では平行光で入射したときに平行光で出射するようにレンズ間隔が調整されている。一方のレンズを光軸方向に移動させることで、出射するビームが拡散光あるいは収束光へと変化し、それにより対物レンズ１８で集光したビームに対して球面収差を与えることができる。すなわち、第１の補正レンズ１４ａの位置を変更することにより第１及び第２の補正レンズ１４ａ，１４ｂ間の距離が変化して光ディスク１の記録層毎の球面収差補正が可能にされている。この球面収差補正素子１４に代わる球面収差補正手段としては、ガリレオ型のエキスパンダレンズや液晶素子がある。【００１８】
合成プリズム１５にはダイクロイックプリズムが用いられる。これは合成面の反射・透過特性が光の波長により異なる光学素子で、記録再生用のレーザビームの波長である４０５ｎｍ付近の波長に対しては反射し、後述のガイド用のレーザビーム（第２レーザビーム）、すなわちガイド光の波長である６６０ｎｍ付近の波長に対しては透過となる特性を持っている。これにより記録再生用のレーザビームは反射して光ディスク１の方向へ向かうことになる。【００１９】
開口制限素子１６及び１／４波長板１７は合成プリズム１５と対物レンズ１８との間に配置されている。【００２０】
開口制限素子１６はガイド光の開口を制限し、記録再生光に対しては何ら作用をしない。【００２１】
１／４波長板１７はレーザビームが光ディスク１への往路と光ディスク１からの復路とで２度通過し、それによりビームの偏光の向きを９０度変化させる。これはビームスプリッタ１３の分離面への球面収差補正素子１４側からの戻り記録再生光をｓ偏光にする。よって、復路のビームに対してビームスプリッタ１３が反射の作用をすることとなる。このことは後述のガイド光学系のビームスプリッタ２３における戻りガイド光についても同様である。また、１／４波長板１７は広帯域のものが使用され、少なくとも光源１１の出射ビーム波長と光源２１の出射ビーム波長に対して１／４波長板として作用する。【００２２】
対物レンズ１８はブルーレイディスク（登録商標）の光学系に用いられる対物レンズのように、開口数ＮＡ０．８５で厚み０．１ｍｍの光ディスク１のカバー層に対して最適化されている。球面収差補正素子１４の第１及び第２の補正レンズ１４ａ，１４ｂ間隔を初期状態として、対物レンズ１８と光ディスク１の表面との距離（作動距離）を最適な値ＷＤ0としたときに、光ディスク１の表面から０．１ｍｍの深さにある記録層に対して最も良好な集光スポットを形成することができる。また、対物レンズ１８は光軸方向（矢印Ｂ）への移動を行うためのフォーカスアクチュエータ１８ａと、光軸に垂直な方向（矢印Ｃ）への移動を行うためのトラッキングアクチュエータ１８ｂとを備え、フォーカス方向及びトラッキング方向への微動を電気的に制御することができるようになっている。【００２３】
光ディスク１のいずれかの記録層で反射した記録再生用のレーザビームは対物レンズ１８、１／４波長板１７、開口制限素子１６、合成プリズム１５、そして球面収差補正素子１４を介して平行光のレーザビームとしてビームスプリッタ１３に戻る。その反射レーザビームはｓ偏光となっているので、ビームスプリッタ１３は反射レーザビームをその入射に対して分離面でほぼ９０度の角度で反射してマルチレンズ１９に供給する。マルチレンズ１９は反射レーザビームを光検出器２０の受光面に集光させてそこにスポットを形成させる。また、マルチレンズ１９は片面が球面、もう片面がシリンドリカル面で構成される光学素子で、非点収差法のフォーカスサーボを行う際に用いられる。光検出器２０は例えば、４分割の受光面を有し、分割面毎に受光強度に応じたレベルの電圧信号を生成する。【００２４】
光検出器２０の出力電圧信号は図示しない再生処理回路に供給される。再生処理回路では、光検出器２０の出力電圧信号から得られる読取信号（ＲＦ信号）に応じて記録情報の再生信号が生成される。また、光検出器２６の出力電圧信号に基づいて、記録層からの記録再生光の集光スポットの焦点ずれを表す記録再生フォーカスエラー信号が後述の記録再生フォーカスエラー信号生成部３３で得られる。【００２５】
ガイド光学系は、記録再生光学系に備えられた合成プリズム１５、開口制限素子１６、１／４波長板１７、対物レンズ１８を共用し、更に、光源２１、コリメータレンズ２２、ビームスプリッタ２３、倍率変換素子２４、マルチレンズ２５、及び光検出器２６を備えている。【００２６】
光源２１は波長６６０ｎｍのガイド用のレーザビームを出射する半導体レーザ素子である。コリメータレンズ２２は光源２１によって出射されたガイド用のレーザビームを平行光に変換してビームスプリッタ２３に供給する。ビームスプリッタ２３はビームスプリッタ１３と同様に偏光ビームスプリッタ（ＰＢＳ）であり、コリメータレンズ２２から供給された平行レーザビームをそのまま倍率変換素子２４に供給する。【００２７】
倍率変換素子２４はガイド光の光軸方向の集光スポットの位置、すなわち焦点位置を移動させるために設けられている。一般的にレンズに入射するビームの拡散具合を変化（光学倍率の変化）させると、集光スポットの位置が光軸上で変化することを利用している。この実施例ではケプラー型エキスパンダが倍率変換素子として用いられている。記録再生光における球面収差補正素子１４と同様に、ケプラー型エキスパンダのレンズ間隔を変化させることにより出射ビームの拡散／収束具合が変更される。すなわち、倍率変換素子２４は第１及び第２の補正レンズ２４ａ，２４ｂを備え、第１の補正レンズ２４ａはアクチュエータ２４ｃによって駆動され、光軸方向（矢印Ｄ）に移動可能にされている。【００２８】
合成プリズム１５は倍率変換素子２４からの波長６６０ｎｍのガイド光を透過させると共に、記録再生光と同軸に合成して開口制限素子１６へ供給する。【００２９】
開口制限素子１６は、波長６６０ｎｍのガイド光に対して図２に示すように開口径を所定の大きさＤ0に制限するものである。開口制限素子１６の透過率は波長に対して図３に示すようになる。波長４０５ｎｍの記録再生光に対しては透過、波長６６０ｎｍのガイド光に対しては反射となる誘電体多層膜１６ａを、開口径Ｄ0の外側のみに形成した素子を用いることができる。波長４０５ｎｍの光に対しては、開口径Ｄ0の内側も外側も共に透過状態となる。【００３０】
１／４波長板１７は上記したようにビームスプリッタ２３の分離面への倍率変換素子２４側からの戻りガイド光をｓ偏光にする。【００３１】
対物レンズ１８は１／４波長板１７から入射されるガイド光に対しては光ディスク１内の位置に集光スポットを形成する。この集光スポットの位置は前述のように倍率変換素子２４により光軸方向で調整することが可能であるので、作動距離ＷＤ0の状態でガイド層ＧＬの深さに集光スポットが形成されるように、第１及び第２の補正レンズ２４ａ，２４ｂの間隔が調整される。【００３２】
例えば、光ディスク１のガイド層ＧＬの深さを０．３ｍｍとすると、対物レンズ１８に入射する光は拡散光となる。対物レンズ１８は波長４０５ｎｍの光を平行光入射させ、カバー層厚み0.1mmとしたときに最高の集光性能が得られるように設計されたものであり、波長６６０nmの光を拡散光で入射させ、光ディスク１の深さ０．３ｍｍのカバー層を隔てて集光スポットを形成させようとすれば、大きな球面収差が発生することになる。開口制限素子１６により、ガイド光の開口数を小さく制限することで、球面収差を小さく抑えることができる。例えば、この実施例では記録再生光のＮＡを０．８５としているが、ガイド光のＮＡは０．６程度にするのが望ましい。【００３３】
光ディスク１のガイド層ＧＬで反射したガイド用のレーザビームは対物レンズ１８、１／４波長板１７、開口制限素子１６、合成プリズム１５、そして倍率変換素子２４を介して平行光のレーザビームとしてビームスプリッタ２３に戻る。その反射レーザビームはｓ偏光となっているので、ビームスプリッタ２３は反射レーザビームをその入射に対して分離面でほぼ９０度の角度で反射してマルチレンズ２５に供給する。マルチレンズ２５は反射レーザビームを光検出器２６の受光面に集光させてそこに集光スポットを形成させる。【００３４】
光検出器２６は例えば、４分割の受光面を有し、分割面毎に受光強度に応じたレベルの電圧信号を生成する。光検出器２６の出力電圧信号に基づいて、ガイド層ＧＬからの集光スポットの焦点ずれを表すガイドフォーカスエラー信号と、ガイドトラックからのずれを表すガイドトラッキングエラー信号と、読取信号であるＲＦ信号が得られる。ガイドフォーカスエラー信号は後述のガイドフォーカスエラー信号生成部３４で得られ、ガイドトラッキングエラー信号は後述のガイドトラッキングエラー信号生成部３５で得られる。更に、ＲＦ信号は図示しないＲＦ信号生成部において得られる。【００３５】
なお、上記の光学系は図示しない移送駆動部によって光ディスク１の半径方向に移動可能にされている。【００３６】
信号処理系は、記録再生光源駆動部３１、ガイド光源駆動部３２、記録再生フォーカスエラー信号生成部３３、ガイドフォーカスエラー信号生成部３４、ガイドトラッキングエラー生成部３５、フォーカス制御部３６、トラッキング制御部３７、エキスパンダ制御部３８，３９、及びメインコントローラ４０を備えている。【００３７】
記録再生光源駆動部３１はメインコントローラ４０から供給される指令に応じて光源１１を発光駆動する。ガイド光源駆動部３２はメインコントローラ４０から供給される指令に応じて光源２１を発光駆動する。【００３８】
記録再生フォーカスエラー信号生成部３３は光検出器２０の出力電圧信号に応じて記録再生フォーカスエラー信号（第１フォーカスエラー信号）を生成する。そのフォーカスエラー信号の生成のためには例えば、非点収差法等の公知の信号生成方法を用いることができる。記録再生フォーカスエラー信号生成部３３の出力にはフォーカス制御部３６（第１フォーカス制御手段）が接続されている。フォーカス制御部３６はフォーカスエラー信号に応じて対物レンズ１８によるフォーカシングの制御のためにフォーカスアクチュエータ１８ａにフォーカシング駆動信号を供給する。フォーカシング駆動信号はフォーカスエラー信号がゼロレベルになるように生成される。【００３９】
ガイドフォーカスエラー信号生成部３４は光検出器２６の出力電圧信号に応じてガイドフォーカスエラー信号（第２フォーカスエラー信号）を生成する。そのフォーカスエラー信号の生成のためには例えば、非点収差法等の公知の信号生成方法を用いることができる。【００４０】
ガイドトラッキングエラー生成部３５は光検出器２６の出力電圧信号に応じてガイドトラッキングエラー信号を生成する。ガイドトラッキングエラー信号はガイド用のレーザビームのガイド層ＧＬへの集光スポット位置のガイドトラック中心からの誤差を示す信号である。ガイドトラッキングエラー生成部３５の出力にはトラッキング制御部３７が接続されている。トラッキング制御部３７はトラッキングサーボ制御を行い、ガイドトラッキングエラー生成部３５によって生成されたガイドトラッキングエラー信号を入力し、対物レンズ１８によるトラッキング部分の制御のためにトラッキングアクチュエータ１８ｂに対してトラッキング駆動信号を供給する。トラッキング駆動信号はガイドトラッキングエラー信号がゼロレベルになるように生成される。【００４１】
エキスパンダ制御部３８はメインコントローラ４０から供給される指令に応じて球面収差補正素子１４のアクチュエータ１４ｃを駆動する。メインコントローラ４０はエキスパンダ制御部３８に対して記録又は再生される記録層について補正レンズ１４ａを最適な位置に、すなわち球面収差を最小にする位置にする情報を供給する。例えば、メインコントローラ４０においては各記録層に対応した補正レンズ１４ａの最適な位置がメモリ（図示せず）に予め記憶されており、記録又は再生のための目標の記録層が決定されるとその記録層に対応した補正レンズ１４ａの位置の情報がメモリから読み出されてその位置への補正レンズ１４ａの移動がエキスパンダ制御部３８に対して指令される。【００４２】
エキスパンダ制御部３９はガイドフォーカスエラー信号生成部３４の出力に接続され、メインコントローラ４０から供給される指令に応じて倍率変換素子２４のアクチュエータ２４ｃを駆動する第２フォーカス制御手段である。エキスパンダ制御部３９はガイドフォーカスエラー信号がゼロレベルになるようにアクチュエータ２４ｃを駆動し、これにより補正レンズ２４ａの位置が最適になるように調整される。【００４３】
メインコントローラ４０は、エキスパンダ制御部３８，３９の制御と共に、上記のフォーカス制御部３６によるフォーカスサーボ制御のオンオフ及びトラッキング制御部３７によるトラッキングサーボ制御のオンオフを制御する。【００４４】
また、メインコントローラ４０は記録再生光源駆動部３１の駆動パワーを制御する。動作モードには光ディスク１に情報を記録する記録モードと、光ディスク１に記録された情報を再生する再生モードとがあり、記録モード時の駆動パワー（記録用パワー）は再生モード時の再生用パワーよりも大きくされる。【００４５】
かかる構成の光ディスクドライブ装置においては、情報を光ディスク１に記録する場合には図示しない操作部からの記録指令がメインコントローラ４０に供給される。【００４６】
メインコントローラ４０は記録指令に応じて記録動作を開始し、図４に示すように、先ず、光ディスク１を上記したディスク駆動部により回転駆動させ（ステップＳ１）、記録再生光源駆動部３１及びガイド光源駆動部３２に対して再生モードでの発光駆動指令を発生する（ステップＳ２）。記録再生光源駆動部３１は光源１１を再生用パワーにて駆動して再生用のレーザビームを発射させ、ガイド光源駆動部３２は光源２１を駆動してガイド用のレーザビームを発射させる。なお、ステップＳ１及びＳ２は既に光ディスク１が回転駆動され、光源１１及び２１が発光駆動されている場合には省略される。【００４７】
メインコントローラ４０は、球面収差補正素子１４の補正レンズ１４ａの位置を光ディスク１の最も奥の記録層Ｌ０の記録再生に適した位置にするようにエキスパンダ制御部３８に対して指令し（ステップＳ３）、記録再生光のフォーカスサーボ制御のオンをフォーカス制御部３６に指令する（ステップＳ４）。フォーカスサーボ制御のオンにより、記録再生光学系、フォーカスエラー生成部３３、フォーカス制御部３６及びフォーカスアクチュエータ１８ａからなるフォーカスサーボループが形成されるので、フォーカス制御部３６は記録再生フォーカスエラー信号生成部３３によって生成されるフォーカスエラー信号がゼロレベルになるようにフォーカシング駆動信号を生成し、対物レンズ１８の光軸方向における位置が制御される。これにより記録再生用のレーザビームの集光スポット、すなわち記録再生光の焦点が光ディスク１の最奥の記録層Ｌ０上に位置するようにされる。【００４８】
次に、メインコントローラ４０は、ガイド光の焦点がガイド層ＧＬ上に位置するようにエキスパンダ制御部３９に対して指令する（ステップＳ５）。ステップＳ５ではエキスパンダ制御部３９は先ず、アクチュエータ２４ｃを駆動して補正レンズ２４ａの位置を移動させる。補正レンズ２４ａを移動させることでガイド光の焦点が走査される。このとき、ガイド光の焦点がガイド層を横切る際に補正レンズ２４ａの位置に対してガイドフォーカスエラー信号生成部３４によって生成されたガイドフォーカスエラー信号は図１３に示すように変化する。ガイドフォーカスエラー信号がキャプチャレンジ内ならばガイド光の焦点がガイド層付近に位置していることを特定することができる。【００４９】
ここで、ガイド光のフォーカスサーボをオンとし、ガイドフォーカスエラー信号がゼロレベルになるようにアクチュエータ２４ｃを駆動する。これにより補正レンズ２４ａの位置が最適になるように調整されるので、ガイド用のレーザビームの集光スポット、すなわちガイド光の焦点が光ディスク１のガイド層ＧＬに位置するようになる。【００５０】
メインコントローラ４０は、ガイド層ＧＬの所定のトラック（例えば、最内周トラック）にガイド用のレーザビームの集光スポットが位置するように上記の移送駆動部を制御し（ステップＳ６）、そして、トラッキングサーボ制御のオンをトラッキング制御部３７に指令する（ステップＳ７）。トラッキングサーボ制御のオンにより、ガイド光学系、ガイドトラッキングエラー生成部３５、トラッキング制御部３７及びトラッキングアクチュエータ１８ｂからなるトラッキングサーボループが形成されるので、トラッキング制御部３７はガイドトラッキングエラー信号がゼロレベルになるようにトラッキング駆動信号を生成し、対物レンズ１８の半径方向における位置が制御される。ガイド用のレーザビームの集光スポットが光ディスク１のガイド層ＧＬのガイドトラック上に位置する。ガイド用のレーザビームの集光スポットの位置が定まると、ガイド光による読取信号であるＲＦ信号からガイド層ＧＬに記録された上記のアドレス情報、記録層数等のディスク情報を読み取る（ステップＳ８）。【００５１】
その後、メインコントローラ４０は、記録モードへの切り替えが記録再生光源駆動部３２に対して指令され（ステップＳ９）、ステップＳ８で得られたディスク情報に基づいて記録層Ｌ０への記録が開始される（ステップＳ１０）。記録モードでは記録再生光源駆動部３２の光源１１に対する駆動パワーが再生用パワーより大きな記録用パワーとされ、記録されるべき情報に応じて光源１１が駆動されることにより、変調された記録用のレーザビームの集光スポットが記録層Ｌ０上に位置される。その記録用のレーザビームの集光スポットはガイド層ＧＬのガイドトラックに追従して記録層Ｌ０上を移動するので、記録トラックが形成されることになる。【００５２】
このように、記録再生光の集光スポットが目標の記録層Ｌ０上にあり、ガイド光の集光スポットがガイド層ＧＬのガイドトラックを追従する状態となった後に、記録層Ｌ０に対する記録が行われる。ガイド光の集光スポットと、記録再生光の集光スポットは常に同軸上にあるため、この状態で光源１１の記録信号に応じた変調を行うことで、記録層Ｌ０にガイドトラックに沿った情報ピット列からなる記録トラックを形成することが可能となる。【００５３】
記録層Ｌ０以外の記録層Ｌ１又はＬ２を目標記録層として記録を直接開始する際も上記の動作と同様にして実行することができる。【００５４】
よって、光ディスク１のいずれか１つの記録層への記録動作においては対物レンズ１８の制御で記録再生光による１つの記録層へのフォーカシングを行い、更に倍率変換素子２４の制御でガイド光によるガイド層ＧＬへのフォーカシングを行うので、その記録層へのフォーカシングが精度よくかつ安定して行われることになる。すなわち、ガイド光よりも記録再生光による微小の集光スポットを用いているため記録時には精度や安定性が要求される記録層へのフォーカスの追従動作に、高精度で安定した対物レンズ１８の制御を用いることができるという利点がある。【００５５】
１つの記録層への記録を終了すると、別の記録層に移動して記録が実行される。記録層から隣接する記録層へと移動する手順は、一般的な２層光ディスクにおけるフォーカスジャンプの手順と同様に、(1)フォーカスサーボ制御をオフとし、(2)対物レンズ１８のフォーカスアクチュエータ１８ａを駆動して対物レンズ１８をジャンプ方向へ移動し、(3)フォーカスエラー信号をモニターして次のゼロクロス点付近に来たらフォーカスサーボ制御をオンとするという手順で行えば良い。【００５６】
記録層Ｌ０から隣接の記録層Ｌ１に移動する際には、図５(a)に示すように記録層Ｌ０を記録再生光が追従している状態において、先ず、上記(1)のフォーカスサーボ制御のオフが実行される。次いで、図５(b)に示すように上記(2)の対物レンズ１８のジャンプ方向への移動が実行され、その結果、記録再生光の集光スポットが記録層Ｌ１付近に位置される。そして、上記の(3)のフォーカスサーボ制御のオンが実行される。ガイド光はガイド層ＧＬの手前に焦点を結んだ状態となるが、ガイド光のフォーカスサーボが動作している状態であれば、ガイド光の集光スポットがガイド層ＧＬを追従するようにガイド光の拡散具合を制御しているので、 図５(c)に示すようにガイド層ＧＬ上に集光スポットが位置する状態に倍率変換素子２４の補正レンズ２４ａの位置が制御される。このとき補正レンズ２４ａの位置は補正レンズ２４ｂにより近づく方向に制御される。【００５７】
光ディスク１に記録された情報の再生を行う際には、トラッキングサーボの制御方法として２つの方法がある。一方は記録時と同様にガイド層ＧＬのトラックをガイド光で追従する方法であり、他方は記録された記録層のマーク列（ピット列）に記録再生光を追従させる方法である。光ディスク１の傾きによりガイドトラックと記録マーク列がずれている可能性を考慮すると、記録マーク列に直接追従する方法が望ましい。【００５８】
このときガイド光及びガイド光学系は使用する必要が無く、記録再生光学系のみが使用される。記録時と同様にして記録層からの反射光を光検出器２０で受光し、そこから再生信号及びフォーカスエラー信号、トラッキングエラー信号を得る。フォーカスエラー信号に基づき記録再生光の集光スポットが記録層上を追従するように対物レンズ１８の光軸方向の位置が制御され、トラッキングエラー信号に基づき集光スポットが記録マーク列を追従するように対物レンズ１８のトラッキング方向の位置が制御される。このとき再生信号の振幅が最大となるように球面収差補正素子１４が制御される。【００５９】
図６は記録動作の変形例を示している。図６の記録動作においてメインコントローラ４０は、光ディスク１を上記したディスク駆動部により回転駆動させ（ステップＳ１１）、記録再生光源駆動部３１及びガイド光源駆動部３２に対して再生モードでの発光駆動指令を発生し（ステップＳ１２）、球面収差補正素子１４の補正レンズ１４ａの位置を光ディスク１の最奥の記録層Ｌ０の記録再生に適した位置にするようにエキスパンダ制御部３８に対して指令し（ステップＳ１３）、記録再生光のフォーカスサーボ制御のオンをフォーカス制御部３６に指令する（ステップＳ１４）。このステップＳ１１〜Ｓ１４は図４の記録動作のステップＳ１〜Ｓ４と同一である。【００６０】
次に、メインコントローラ４０は、倍率変換素子２４の補正レンズ２４ａの位置を光ディスク１の最奥の記録層Ｌ０の記録再生に最適な位置にするようにエキスパンダ制御部３９に対して指令し（ステップＳ１５）、光検出器２６の出力信号に基づいて得られるＲＦ信号の振幅が所定の大きさ以上であるか否かを判別する（ステップＳ１６）。ＲＦ信号の振幅が所定の大きさより小であるときには記録再生光のフォーカスジャンプをフォーカス制御部３６に指令する（ステップＳ１７）。ステップＳ１６のＲＦ信号の振幅が所定の大きさに満たない場合にはステップＳ１７の指令に応じてフォーカス制御部３６が対物レンズ１８を光軸方向に所定量だけ移動させることにより記録再生光のフォーカスジャンプが実行される。その記録再生光のフォーカスジャンプはＲＦ信号の振幅が所定の大きさ以上になるまで繰り返される。【００６１】
ステップＳ１６のＲＦ信号の振幅が所定の大きさ以上になると、ステップＳ１８〜Ｓ２３が実行される。ステップＳ１８〜Ｓ２３は図４の記録動作のステップＳ５〜Ｓ１０と同一である。【００６２】
ガイド光側の補正レンズ２４ａを移動させることでガイド光の集光スポットの位置を光軸方向に移動させることができる。従って、対物レンズ１８と光ディスク１との作動距離ＷＤが変化した場合でも、補正レンズ２４ａの移動によりガイド光の集光スポットを光ディスク１のガイド層ＧＬ上に位置させることができる。逆に、作動距離ＷＤが所定の固定値となっているときには、補正レンズ２４ａは常に決まった位置にあることになる。記録再生光学系の補正レンズ１４ａが所定の位置にあり、記録再生光の焦点が記録層Ｌ０に位置しているとき、作動距離ＷＤは所定値ＷＤ０となり、その状態でガイド光の集光スポットがガイド層ＧＬ上に位置するための補正レンズ２４ａの位置も所定の位置となる。このときの補正レンズ２４ａの位置が、上記した記録層Ｌ０の記録再生に最適な補正レンズ２４ａの位置である。このステップＳ１５では、補正レンズ２４ａの位置をこのような予め定められた位置に設定する。【００６３】
よって、ステップＳ１４において記録再生光の焦点が記録層Ｌ０に位置していれば、ガイド光の集光スポットもガイド層ＧＬ上に位置していることになり、ガイド光によって読み取られるＲＦ信号の振幅は十分大きな値となる。しかしながら、記録再生光の焦点が記録層Ｌ０以外の別の記録層に位置している状態では、作動距離ＷＤの値は所定値ＷＤ０とはならず、ガイド光の集光スポットの位置はガイド層ＧＬからデフォーカスした状態となり、ガイド光が再生するＲＦ信号の振幅は小さくなる。すなわち、ガイド光によって読み取られるＲＦ信号の振幅が所定の大きさ以上となった状態が、記録再生光の焦点が記録層Ｌ０に位置した状態となる。ステップＳ１７により記録再生光の記録層Ｌ０側へのフォーカスジャンプを繰り返し、ステップＳ１６でガイド光のＲＦ信号の振幅がこの状態となる位置を探すことにより、記録再生光の焦点位置を確実に記録層Ｌ０とすることができる。【００６４】
図７は更に記録動作の変形例を示している。図７の記録動作においてメインコントローラ４０は、光ディスク１を上記したディスク駆動部により回転駆動させ（ステップＳ３１）、記録再生光源駆動部３１及びガイド光源駆動部３２に対して再生モードでの発光駆動指令を発生し（ステップＳ３２）、球面収差補正素子１４の補正レンズ１４ａの位置を光ディスク１のガイド層ＧＬの再生に適した位置にするようにエキスパンダ制御部３８に対して指令し（ステップＳ３３）、記録再生光のフォーカスサーボ制御のオンをフォーカス制御部３６に指令する（ステップＳ３４）。このステップＳ３１及びＳ３２は図４の記録動作のステップＳ１及びＳ２と同一である。ステップＳ３３及びＳ３４の実行により記録再生光の焦点はガイド層ＧＬに位置する。【００６５】
次に、メインコントローラ４０は、ガイド光の焦点がガイド層ＧＬに位置するようにエキスパンダ制御部３９に対して指令する（ステップＳ３５）。ステップＳ３５ではエキスパンダ制御部３９はアクチュエータ２４ｃを駆動して補正レンズ２４ａの位置を移動させる。このとき補正レンズ２４ａの位置に応じて図１３に示すようなガイドフォーカスエラー信号が得られる。ガイドフォーカスエラー信号がキャプチャレンジ内のゼロクロス点付近となるように補正レンズ２４ａの位置を制御することで、ガイド用のレーザビームの集光スポットの位置はガイド層付近に位置することになる。そして、メインコントローラ４０は、ガイド層ＧＬの所定のトラック（例えば、最内周トラック）にガイド用のレーザビームの集光スポットが位置するように上記の移送駆動部を制御する（ステップＳ３６）。このときガイド光によるフォーカスサーボ制御はオフであるが、記録再生光のフォーカス制御により対物レンズとガイド層が一定の間隔に制御された状態であるので、この状態でガイド光の集光スポットもガイド層ＧＬ上を追従することになる。その後、トラッキングサーボ制御のオンをトラッキング制御部３７に指令する（ステップＳ３７）。ガイド用のレーザビームの集光スポットの位置が定まると、ガイド光による読取信号であるＲＦ信号からガイド層ＧＬに記録されたアドレス情報、記録層数等のディスク情報を読み取る（ステップＳ３８）。【００６６】
メインコントローラ４０は、エキスパンダ制御部３９に対してガイドフォーカスサーボ制御のオンを指令する（ステップＳ３９）。ステップＳ３９ではエキスパンダ制御部３９はガイドフォーカスエラー信号がゼロレベルになるようにアクチュエータ２４ｃを駆動するので、補正レンズ２４ａの位置が調整され、ガイド光学系だけでもガイド光がガイド層ＧＬを追従する状態となり、記録再生光の焦点位置がガイド層ＧＬから記録層に移動したとしても、ガイド光の焦点はガイド層ＧＬに位置し続けることができる。よって、メインコントローラ４０は、次に、記録再生光の記録層Ｌ０へのフォーカスジャンプをフォーカス制御部３６に指令する（ステップＳ４０）。そして、記録モードへの切り替えを記録再生光源駆動部３２に対して指令し（ステップＳ４１）、ステップＳ３８で読み取ったディスク情報に基づいて、記録再生光を変調して記録層Ｌ０に記録を行う（ステップＳ４２）。【００６７】
このように図７の記録動作によれば、記録再生光の焦点を光ディスク１のガイド層ＧＬに一旦位置させる。ガイド層が記録層の端に位置していたり、ガイド層と記録層の間隔が記録層同士の間隔よりも広く設定されている場合には、特定の記録層に記録再生光の焦点を定めるよりも、ガイド層に焦点を定める方が確実な場合があるからである。更に、記録層Ｌ０はガイド層ＧＬの隣に位置しているので、記録再生光の焦点のガイド層ＧＬから記録層Ｌ０への移動も確実に行うことができる。【００６８】
なお、ステップＳ３９のガイド光のフォーカスサーボを、ステップＳ３８のガイド層ＧＬからのディスク情報の読み取りを行う前の段階で実行しても良い。【００６９】
図８は本発明が適用された多層光ディスク記録再生装置の他の構成を示している。この多層光ディスク記録再生装置においては、光検出器２０には記録再生フォーカスエラー信号生成部３３と共に記録再生トラッキングエラー信号生成部４１が接続されている。記録再生トラッキングエラー信号生成部４１は光検出器２０の出力電圧信号に応じて記録再生トラッキングエラー信号を生成する。記録再生トラッキングエラー信号は記録再生用のレーザビームのガイド層ＧＬ又は記録層への集光スポット位置のガイドトラック中心からの誤差を示す信号である。また、その記録再生トラッキングエラー信号はトラッキング制御部３７に供給される。トラッキング制御部３７はメインコントローラ４０の指令に応じてトラッキングサーボ制御時にガイドトラッキングエラー信号生成部３５からのガイドトラッキングエラー信号と記録再生トラッキングエラー信号生成部４１からの記録再生トラッキングエラー信号とのいずれか一方を選択的に用いる。その他の構成は図１の多層光ディスク記録再生装置と同様である。【００７０】
図８の多層光ディスク記録再生装置の記録動作においては、図９に示すように、メインコントローラ４０が光ディスク１を上記したディスク駆動部により回転駆動させ（ステップＳ５１）、記録再生光源駆動部３１及びガイド光源駆動部３２に対して再生モードでの発光駆動指令を発生し（ステップＳ５２）、球面収差補正素子１４の補正レンズ１４ａの位置を光ディスク１のガイド層ＧＬの再生に適した位置にするようにエキスパンダ制御部３８に対して指令し（ステップＳ５３）、記録再生光のフォーカスサーボ制御のオンをフォーカス制御部３６に指令する（ステップＳ５４）。このステップＳ５１〜Ｓ３４は図７の記録動作のステップＳ３１〜Ｓ３４と同一である。ステップＳ５３及びＳ５４の実行により記録再生光の焦点はガイド層ＧＬに位置する。【００７１】
次に、メインコントローラ４０はガイド層ＧＬの所定のトラック（例えば、最内周トラック）に記録再生用のレーザビームの集光スポットが位置するように上記の移送駆動部を制御し（ステップＳ５５）、記録再生トラッキングサーボ制御のオンをトラッキング制御部３７に指令する（ステップＳ５６）。記録再生トラッキングサーボ制御のオンにより、記録再生光学系、記録再生トラッキングエラー生成部４１、トラッキング制御部３７及びトラッキングアクチュエータ１８ｂからなるトラッキングサーボループが形成されるので、トラッキング制御部３７は記録再生トラッキングエラー信号がゼロレベルになるようにトラッキング駆動信号を生成し、対物レンズ１８の半径方向における位置が制御される。この制御の結果、記録再生用のレーザビームの集光スポットが光ディスク１のガイド層ＧＬのガイドトラック上に位置する。記録再生用のレーザビームの集光スポットの位置が定まると、記録再生光による読取信号であるＲＦ信号からガイド層ＧＬに記録された上記のアドレス情報、記録層数等のディスク情報を読み取る（ステップＳ５７）。【００７２】
メインコントローラ４０は、ステップＳ５７の実行後、ガイド光の焦点がガイド層ＧＬに位置するようにエキスパンダ制御部３９に対して指令する（ステップＳ５８）。ステップＳ５８ではエキスパンダ制御部３９はアクチュエータ２４ｃを駆動して補正レンズ２４ａの位置を移動させる。そして、メインコントローラ４０は、エキスパンダ制御部３９に対してガイドフォーカスサーボ制御のオンを指令する（ステップＳ５９）。ステップＳ５９ではエキスパンダ制御部３９はガイドフォーカスエラー信号がゼロレベルになるようにアクチュエータ２４ｃを駆動するので、補正レンズ２４ａの位置が調整され、ガイド光学系だけでもガイド光の焦点がガイド層ＧＬを追従する状態となる。【００７３】
メインコントローラ４０は、ステップＳ５９の実行後、ガイドトラッキングサーボ制御のオンをトラッキング制御部３７に指令する（ステップＳ６０）。ガイドトラッキングサーボ制御のオンにより、記録再生トラッキングサーボ制御がオフとなり、ガイド光学系、ガイドトラッキングエラー生成部３５、トラッキング制御部３７及びトラッキングアクチュエータ１８ｂからなるトラッキングサーボループが形成されるので、トラッキング制御部３７はガイドトラッキングエラー信号がゼロレベルになるようにトラッキング駆動信号を生成し、対物レンズ１８の半径方向における位置が制御される。この制御の結果、ガイド用のレーザビームの集光スポットが光ディスク１のガイド層ＧＬのガイドトラック上に位置する。【００７４】
次いで、メインコントローラ４０は、記録再生光の記録層Ｌ０へのフォーカスジャンプをフォーカス制御部３６に指令する（ステップＳ６１）。そして、記録モードへの切り替えを記録再生光源駆動部３２に対して指令し（ステップＳ６２）、ステップＳ５７で読み取ったディスク情報に基づいて、記録再生光を変調して記録層Ｌ０に記録を行う（ステップＳ６３）。【００７５】
このように図９の記録動作によれば、先ず、記録再生光の焦点を光ディスク１のガイド層ＧＬに一旦位置させ、更に記録再生光によるガイド層への対物レンズ駆動のトラッキングサーボ制御を行うので、記録再生光によりガイド層に記録されたディスク情報を早い段階で読み取ることができる。ディスク情報の読取後、ガイド光によるガイド層への対物レンズ駆動のトラッキングサーボ制御に切り替えるので、ディスク情報に基づいて記録再生光の焦点のガイド層から記録層Ｌ０へのフォーカスジャンプ移動も確実に行うことができる。【００７６】
図１０は本発明が適用された多層光ディスク記録再生装置の他の構成を更に示している。この多層光ディスク記録再生装置においては、ガイドフォーカスエラー信号生成部３４の出力信号はエキスパンダ制御部３９と共にフォーカス制御部３６に供給される。フォーカス制御部３６はメインコントローラ４０の指令に応じてフォーカスサーボ制御時にガイドフォーカスエラー信号生成部３４からのガイドフォーカスエラー信号と記録再生フォーカスエラー信号生成部３３からの記録再生フォーカスエラー信号とのいずれか一方を選択的に用いる。ガイドフォーカスエラー信号によるフォーカスサーボ制御としては例えば非点収差法が用いられる。その他の構成は図１の多層光ディスク記録再生装置と同様である。【００７７】
図１０の多層光ディスク記録再生装置の記録動作においては、図１１に示すように、メインコントローラ４０が光ディスク１を上記したディスク駆動部により回転駆動させ（ステップＳ７１）、記録再生光源駆動部３１及びガイド光源駆動部３２に対して再生モードでの発光駆動指令を発生し（ステップＳ７２）、ガイド光のフォーカスサーボ制御のオンをフォーカス制御部３６に指令する（ステップＳ７３）。ガイド光のフォーカスサーボ制御のオンにより、ガイド光学系、フォーカスエラー生成部３４、フォーカス制御部３６及びフォーカスアクチュエータ１８ａからなるフォーカスサーボループが形成されるので、フォーカス制御部３６はガイドフォーカスエラー信号生成部３４によって生成されるフォーカスエラー信号がゼロレベルになるようにフォーカシング駆動信号を生成し、対物レンズ１８の光軸方向における位置が制御される。これによりガイド光の焦点が光ディスク１のガイド層ＧＬに位置するようにされる。【００７８】
ガイド光のフォーカスサーボ制御の実行中に、メインコントローラ４０は倍率変換素子２４の補正レンズ２４ａの位置をガイド光の球面収差を最適化するように移動させるようにエキスパンダ制御部３９に対して指令する（ステップＳ７４）。ステップＳ７４の指令により倍率変換素子２４は球面収差補正素子として用いられ、補正レンズ２４ａの位置がガイドフォーカスエラー信号の振幅が最大になる位置に移動される。更に、ガイド層ＧＬの所定のトラック（例えば、最内周トラック）にガイド用のレーザビームの集光スポットが位置するように上記の移送駆動部を制御し（ステップＳ７５）、そして、トラッキングサーボ制御のオンをトラッキング制御部３７に指令する（ステップＳ７６）。トラッキングサーボ制御のオンにより、ガイド光学系、ガイドトラッキングエラー生成部３５、トラッキング制御部３７及びトラッキングアクチュエータ１８ｂからなるトラッキングサーボループが形成されるので、トラッキング制御部３７はガイドトラッキングエラー信号がゼロレベルになるようにトラッキング駆動信号を生成し、対物レンズ１８の半径方向における位置が制御される。ガイド用のレーザビームの集光スポットが光ディスク１のガイド層ＧＬのガイドトラック上に位置する。ガイド用のレーザビームの集光スポットの位置が定まると、ガイド光による読取信号であるＲＦ信号からガイド層ＧＬに記録された上記のアドレス情報、記録層数等のディスク情報を読み取る（ステップＳ７７）。【００７９】
次に、メインコントローラ４０は倍率変換素子２４の補正レンズ２４ａの位置の移動をエキスパンダ制御部３９に対して指令する（ステップＳ７８）。このステップＳ７８では記録再生光が記録層Ｌ０に合焦するために最適な値に作動距離ＷＤがなるように補正レンズ２４ａの位置が定められる。作動距離ＷＤはステップＳ７４の実行によりガイド光がガイド層ＧＬに合焦するために最適な値となっているので、ステップＳ７８では記録再生光が記録層Ｌ０に合焦するために最適な値に変更することが行われる。すなわち、補正レンズ２４ａの位置が移動することにより対物レンズ１８に入射するガイド光の拡散状態が変化しても、ガイド光のフォーカスサーボ制御がガイド光のガイド層ＧＬへのフォーカス状態を維持させるために対物レンズ１８の光軸方向の位置を変化させるので、作動距離ＷＤは記録再生光が記録層Ｌ０に合焦するために適切な値になる。【００８０】
メインコントローラ４０は、ステップＳ７８の実行後、記録再生光の焦点が記録層Ｌ０付近に位置するように球面収差補正素子１４の補正レンズ１４ａの移動をエキスパンダ制御部３８に指令する（ステップＳ７９）。ステップＳ７９の実行により、先ず、記録再生光の焦点がガイド層ＧＬとガイド層ＧＬに最も近い記録層Ｌ０との間に位置するようにエキスパンダ制御部３８が補正レンズ１４ａを移動させる。補正レンズ１４ａを移動させることで記録再生光の焦点が走査される。このとき、記録再生光の焦点が記録層を横切る際に補正レンズ１４ａの位置に対して記録再生フォーカスエラー信号は図１２に示すように変化する。記録再生フォーカスエラー信号がキャプチャレンジ内ならば記録再生光の焦点が記録層Ｌ０付近に位置していることを特定することができる。また、記録層Ｌ０以外の他の記録層付近に位置していることも記録再生フォーカスエラー信号のゼロクロスを計数することにより特定することができる。記録層Ｌ０に対応する記録再生フォーカスエラー信号におけるキャプチャレンジ内のゼロクロスした点において、メインコントローラ４０は、フォーカス制御部３６に記録再生光のフォーカスサーボ制御のオンをフォーカス制御部３６に指令する（ステップＳ８０）。記録再生光のフォーカスサーボ制御のオンにより、ガイド光のフォーカスサーボ制御がオフとなり、記録再生光学系、フォーカスエラー生成部３３、フォーカス制御部３６及びフォーカスアクチュエータ１８ａからなるフォーカスサーボループが形成されるので、フォーカス制御部３６は記録再生フォーカスエラー信号生成部３３によって生成されるフォーカスエラー信号がゼロレベルになるようにフォーカシング駆動信号を生成し、対物レンズ１８の光軸方向における位置が制御される。これにより記録再生光の焦点が光ディスク１の記録層Ｌ０に位置するようにされる。【００８１】
更に、メインコントローラ４０は、エキスパンダ制御部３９に対してガイドフォーカスサーボ制御のオンを指令する（ステップＳ８１）。ステップＳ８１ではエキスパンダ制御部３９はガイドフォーカスエラー信号がゼロレベルになるようにアクチュエータ２４ｃを駆動するので、補正レンズ２４ａの位置が調整され、これによりガイド光の焦点がガイド層ＧＬを追従する状態となる。そして、記録モードへの切り替えを記録再生光源駆動部３２に対して指令し（ステップＳ８２）、ステップＳ７７で読み取ったディスク情報に基づいて、記録再生光を変調して記録層Ｌ０に記録を行う（ステップＳ８３）。【００８２】
このように図１１の記録動作によれば、先ず、ガイド光によるガイド層への対物レンズ駆動のフォーカスサーボ制御及びトラッキングサーボ制御を行うので、安定してフォーカスの引き込みを行うことができると共に、ガイド光によりガイド層に記録されたディスク情報を早い段階で読み取ることができる。更に、ガイド層にフォーカス制御した状態では、光ディスク１と対物レンズ１８との距離が一定に保たれているので、記録再生光でフォーカス制御する記録層が特定し易くなる。よって、球面収差補正素子１４の補正レンズ１４ａを光軸方向に移動して記録再生光の焦点をディスクの厚さ方向に走査して得られたフォーカスエラー信号を用いて記録再生光の焦点が通過した記録層の数を正確に数えることにより記録層Ｌ０等の目標記録層を容易に特定することができる。【００８３】
なお、上記した各実施例においては、光ディスクに複数の記録層が単一のガイド層と共に備えられているが、少なくとも１つの記録層がガイド層と離間して積層された光ディスクであれば良い。また、複数のガイド層を備えていても良い。また、光記録媒体としては実施例のように形状が円盤状のディスクではなく複数の記録層が積層された光メモリであっても良い。【００８４】
更に、上記した各実施例において図４、図６、図７、図９、及び図１１に示した記録動作のステップ順については特に限定されることはなく、適宜変更しても良い。【００８５】
本発明は光ディスクドライブ装置だけでなく光ディスクドライブ装置を備えたハードディスク記録再生装置等の他の装置にも適用することができる。
【符号の説明】
【００８６】
１  光ディスク
１１，２１  光源
１４  球面収差補正素子
１８  対物レンズ
２０，２６  光検出器
２４  倍率変換素子
４０  メインコントローラ
【図１】
2010122659.tif 000003
【図２】
2010122659.tif 000004
【図３】
2010122659.tif 000005
【図４】
2010122659.tif 000006
【図５】
2010122659.tif 000007
【図６】
2010122659.tif 000008
【図７】
2010122659.tif 000009
【図８】
2010122659.tif 000010
【図９】
2010122659.tif 000011
【図１０】
2010122659.tif 000012
【図１１】
2010122659.tif 000013
【図１２】
2010122659.tif 000014
【図１３】
2010122659.tif 000015
【手続補正書】
【提出日】平成23年10月21日(2011.10.21)
【手続補正１】
【補正対象書類名】特許請求の範囲
【補正対象項目名】全文
【補正方法】変更
【補正の内容】
【特許請求の範囲】
【請求項１】
ガイドトラックが形成されたガイド層と記録層とが離間して積層されたガイド層分離型の光記録媒体の前記記録層に対して前記ガイドトラックに従って情報の光学的な記録を行う光記録媒体ドライブ装置であって、
記録用の第１レーザビームを発生する第１光源と、
ガイド用の第２レーザビームを発生する第２光源と、
前記第１レーザビームと前記第２レーザビームとを合成して同軸に導く合成プリズムと、
前記合成プリズムからの前記第１及び第２レーザビーム各々を前記光記録媒体に向けて集光させる対物レンズと、
前記第１レーザビームの前記記録層からの反射光を検出する第１光検出手段と、
前記第２レーザビームの前記ガイド層からの反射光を検出する第２光検出手段と、
前記第２光源と前記合成プリズムとの間の前記第２レーザビームの光路上に配置され前記対物レンズに入射する前記第２レーザビームを拡散又収束させる倍率変換素子と、
前記第１光検出手段の出力信号に基づいて前記第１レーザビームの集光スポット位置と前記記録層との誤差を示す第１フォーカスエラー信号を生成する第１フォーカスエラー生成手段と、
前記第２光検出手段の出力信号に基づいて前記第２レーザビームの集光スポット位置と前記ガイド層との誤差を示す第２フォーカスエラー信号を生成する第２フォーカスエラー生成手段と、
前記第１フォーカスエラー信号に応じて前記対物レンズをその光軸方向に制御する第１フォーカス制御手段と、
前記第２フォーカスエラー信号に応じて前記倍率変換素子による前記第２レーザビームの拡散又収束の大きさを制御する第２フォーカス制御手段と、
前記第１光検出手段の出力信号に基づいて前記第１レーザビームの集光スポット位置と前記ガイド層のガイドトラックとの誤差を示す第１トラッキングエラー信号を生成する第１トラッキングエラー生成手段と、
前記第２光検出手段の出力信号に基づいて前記第２レーザビームの集光スポット位置と前記ガイド層のガイドトラックとの誤差を示す第２トラッキングエラー信号を生成する第２トラッキングエラー生成手段と、
前記第１トラッキングエラー信号又は第２トラッキングエラー信号に応じて前記対物レンズをその光軸方向に垂直な方向に駆動制御するトラッキング制御手段と、
前記第１光源と前記合成プリズムとの間の前記第１レーザビームの光路上に配置された球面収差補正素子と、
前記球面収差補正素子による球面収差の補正状態を制御する球面収差制御手段と、
メイン制御手段と、を備え、
前記メイン制御手段は、前記球面収差制御手段によって前記球面収差補正素子が前記ガイド層の再生に最適な補正状態に制御され、前記第１フォーカス制御手段によって前記第１フォーカスエラー信号に応じた前記対物レンズの制御により前記第１レーザビームの焦点が前記ガイド層上に位置され、かつ前記トラッキング制御手段によって前記第１レーザビームの集光スポット位置が前記ガイド層のガイドトラック上に位置するように前記第１トラッキングエラー信号に応じて前記対物レンズが制御されたとき、前記第１光検出手段の出力信号に基づいてアドレス情報を含む記録媒体情報を読み取り、
前記第２フォーカス制御手段によって前記第２レーザビームの焦点が前記ガイド層に位置するように前記倍率変換素子が制御され、前記第２フォーカス制御手段によって前記第２レーザビームの焦点がガイド層に位置するように第２フォーカスエラー信号に応じて前記倍率変換素子が制御され、前記トラッキング制御手段によって前記第２レーザビームの集光スポット位置が前記ガイド層のガイドトラック上に位置するように前記トラッキングエラー信号に応じて前記対物レンズが制御され、かつ前記第１フォーカス制御手段による前記対物レンズの制御により前記第１レーザビームの焦点を前記記録層へフォーカスジャンプさせたとき、前記記録媒体情報に基づいて前記第１レーザビームを変調して前記記録層への記録を開始させることを特徴とする光記録媒体ドライブ装置。
【請求項２】
前記球面収差補正素子及び前記倍率変換素子は２つの光軸を同一とする補正レンズからなるケプラー型のエキスパンダレンズからなり、その２つの補正レンズの一方が光軸方向に移動可能にされていることを特徴とする請求項１記載の光記録媒体ドライブ装置。
【請求項３】
ガイドトラックが形成されたガイド層と記録層とが離間して積層されたガイド層分離型の光記録媒体の前記記録層に対して前記ガイドトラックに従って情報の光学的な記録を行う光記録媒体ドライブ装置であって、
記録用の第１レーザビームを発生する第１光源と、
ガイド用の第２レーザビームを発生する第２光源と、
前記第１レーザビームと前記第２レーザビームとを合成して同軸に導く合成プリズムと、
前記合成プリズムからの前記第１及び第２レーザビーム各々を前記光記録媒体に向けて集光させる対物レンズと、
前記第１レーザビームの前記記録層からの反射光を検出する第１光検出手段と、
前記第２レーザビームの前記ガイド層からの反射光を検出する第２光検出手段と、
前記第２光源と前記合成プリズムとの間の前記第２レーザビームの光路上に配置され前記対物レンズに入射する前記第２レーザビームを拡散又収束させる倍率変換素子と、
前記第１光検出手段の出力信号に基づいて前記第１レーザビームの集光スポット位置と前記記録層との誤差を示す第１フォーカスエラー信号を生成する第１フォーカスエラー生成手段と、
前記第２光検出手段の出力信号に基づいて前記第２レーザビームの集光スポット位置と前記ガイド層との誤差を示す第２フォーカスエラー信号を生成する第２フォーカスエラー生成手段と、
前記第１フォーカスエラー信号又は前記第２フォーカスエラー信号に応じて前記対物レンズをその光軸方向に制御する第１フォーカス制御手段と、
前記第２フォーカスエラー信号に応じて前記倍率変換素子による前記第２レーザビームの拡散又収束の大きさを制御する第２フォーカス制御手段と、
前記第２光検出手段の出力信号に基づいて前記第２レーザビームの集光スポット位置と前記ガイド層のガイドトラックとの誤差を示すトラッキングエラー信号を生成するトラッキングエラー生成手段と、
前記トラッキングエラー信号に応じて前記対物レンズをその光軸方向に垂直な方向に駆動制御するトラッキング制御手段と、
前記第１光源と前記合成プリズムとの間の前記第１レーザビームの光路上に配置された球面収差補正素子と、
前記球面収差補正素子による球面収差の補正状態を制御する球面収差制御手段と、
メイン制御手段と、を備え、
前記メイン制御手段は、前記第１フォーカス制御手段によって前記第２レーザビームの焦点が前記ガイド層上に位置するように前記第２フォーカスエラー信号に応じて前記対物レンズが制御され、前記第２フォーカス制御手段によって前記第２レーザビームの焦点が前記ガイド層に位置するように前記倍率変換素子が制御され、かつ前記トラッキング制御手段によって前記第２レーザビームの集光スポット位置が前記ガイド層のガイドトラック上に位置するように前記トラッキングエラー信号に応じて前記対物レンズが制御されたとき、前記第２光検出手段の出力信号に基づいてアドレス情報を含む記録媒体情報を読み取り、
前記第２フォーカス制御手段によって前記第１レーザビームによる前記記録層への記録に適した作動距離にするように前記倍率変換素子が制御され、前記球面収差制御手段によって前記球面収差補正素子が前記記録層の再生に最適な補正状態に制御され、前記第１フォーカス制御手段によって前記第１レーザビームの焦点が前記記録層上に位置するように前記第２フォーカスエラー信号に代えて前記第１フォーカスエラー信号に応じて前記対物レンズが制御され、かつ前記第２フォーカス制御手段によって前記第２レーザビームの焦点がガイド層に位置するように第２フォーカスエラー信号に応じて前記倍率変換素子が制御されたとき、前記記録媒体情報に基づいて前記第１レーザビームを変調して前記記録層への記録を開始させることを特徴とする光記録媒体ドライブ装置。
【請求項４】
前記球面収差補正素子及び前記倍率変換素子は２つの光軸を同一とする補正レンズからなるケプラー型のエキスパンダレンズからなり、その２つの補正レンズの一方が光軸方向に移動可能にされていることを特徴とする請求項３記載の光記録媒体ドライブ装置。
【請求項５】
ガイドトラックが形成されたガイド層と記録層とが離間して積層されたガイド層分離型の光記録媒体の前記記録層に対して前記ガイドトラックに従って情報の光学的な記録を行うために、
記録用の第１レーザビームを発生する第１光源と、
ガイド用の第２レーザビームを発生する第２光源と、
前記第１レーザビームと前記第２レーザビームとを合成して同軸に導く合成プリズムと、
前記合成プリズムからの前記第１及び第２レーザビーム各々を前記光記録媒体に向けて集光させる対物レンズと、
前記第１レーザビームの前記記録層からの反射光を検出する第１光検出手段と、
前記第２レーザビームの前記ガイド層からの反射光を検出する第２光検出手段と、
前記第２光源と前記合成プリズムとの間の前記第２レーザビームの光路上に配置され前記対物レンズに入射する前記第２レーザビームを拡散又収束させる倍率変換素子と、
前記第１光検出手段の出力信号に基づいて前記第１レーザビームの集光スポット位置と前記記録層との誤差を示す第１フォーカスエラー信号を生成する第１フォーカスエラー生成手段と、
前記第２光検出手段の出力信号に基づいて前記第２レーザビームの集光スポット位置と前記ガイド層との誤差を示す第２フォーカスエラー信号を生成する第２フォーカスエラー生成手段と、
前記第１フォーカスエラー信号に応じて前記対物レンズをその光軸方向に制御する第１フォーカス制御手段と、
前記第２フォーカスエラー信号に応じて前記倍率変換素子による前記第２レーザビームの拡散又収束の大きさを制御する第２フォーカス制御手段と、
前記第１光検出手段の出力信号に基づいて前記第１レーザビームの集光スポット位置と前記ガイド層のガイドトラックとの誤差を示す第１トラッキングエラー信号を生成する第１トラッキングエラー生成手段と、
前記第２光検出手段の出力信号に基づいて前記第２レーザビームの集光スポット位置と前記ガイド層のガイドトラックとの誤差を示す第２トラッキングエラー信号を生成する第２トラッキングエラー生成手段と、
前記第１トラッキングエラー信号又は第２トラッキングエラー信号に応じて前記対物レンズをその光軸方向に垂直な方向に駆動制御するトラッキング制御手段と、
前記第１光源と前記合成プリズムとの間の前記第１レーザビームの光路上に配置された球面収差補正素子と、
前記球面収差補正素子による球面収差の補正状態を制御する球面収差制御手段と、を備える光記録媒体ドライブ装置の記録方法であって、
前記球面収差制御手段によって前記球面収差補正素子を前記ガイド層の再生に最適な補正状態に制御する第１ステップと、
前記第１フォーカス制御手段によって前記第１フォーカスエラー信号に応じた前記対物レンズの制御により前記第１レーザビームの焦点を前記ガイド層上に位置させる第２ステップと、
前記トラッキング制御手段によって前記第１レーザビームの集光スポット位置が前記ガイド層のガイドトラック上に位置するように前記第１トラッキングエラー信号に応じて前記対物レンズを制御する第３ステップと、
前記第１ステップないし前記第３ステップの実行後、前記第１光検出手段の出力信号に基づいてアドレス情報を含む記録媒体情報を読み取る第４ステップと、
前記第２フォーカス制御手段によって前記第２レーザビームの焦点が前記ガイド層に位置するように前記倍率変換素子を制御する第５ステップと、
前記第２フォーカス制御手段によって前記第２レーザビームの焦点がガイド層に位置するように第２フォーカスエラー信号に応じて前記倍率変換素子を制御する第６ステップと、
前記トラッキング制御手段によって前記第２レーザビームの集光スポット位置が前記ガイド層のガイドトラック上に位置するように前記トラッキングエラー信号に応じて前記対物レンズを制御する第７ステップと、
前記第１フォーカス制御手段による前記対物レンズの制御により前記第１レーザビームの焦点を前記記録層へフォーカスジャンプさせる第８ステップと、
前記第５ステップないし前記第８ステップの実行後、前記記録媒体情報に基づいて前記第１レーザビームを変調して前記記録層への記録を開始させる第９ステップと、含むことを特徴とする記録方法。
【請求項６】
ガイドトラックが形成されたガイド層と記録層とが離間して積層されたガイド層分離型の光記録媒体の前記記録層に対して前記ガイドトラックに従って情報の光学的な記録を行うために、
記録用の第１レーザビームを発生する第１光源と、
ガイド用の第２レーザビームを発生する第２光源と、
前記第１レーザビームと前記第２レーザビームとを合成して同軸に導く合成プリズムと、
前記合成プリズムからの前記第１及び第２レーザビーム各々を前記光記録媒体に向けて集光させる対物レンズと、
前記第１レーザビームの前記記録層からの反射光を検出する第１光検出手段と、
前記第２レーザビームの前記ガイド層からの反射光を検出する第２光検出手段と、
前記第２光源と前記合成プリズムとの間の前記第２レーザビームの光路上に配置され前記対物レンズに入射する前記第２レーザビームを拡散又収束させる倍率変換素子と、
前記第１光検出手段の出力信号に基づいて前記第１レーザビームの集光スポット位置と前記記録層との誤差を示す第１フォーカスエラー信号を生成する第１フォーカスエラー生成手段と、
前記第２光検出手段の出力信号に基づいて前記第２レーザビームの集光スポット位置と前記ガイド層との誤差を示す第２フォーカスエラー信号を生成する第２フォーカスエラー生成手段と、
前記第１フォーカスエラー信号又は前記第２フォーカスエラー信号に応じて前記対物レンズをその光軸方向に制御する第１フォーカス制御手段と、
前記第２フォーカスエラー信号に応じて前記倍率変換素子による前記第２レーザビームの拡散又収束の大きさを制御する第２フォーカス制御手段と、
前記第２光検出手段の出力信号に基づいて前記第２レーザビームの集光スポット位置と前記ガイド層のガイドトラックとの誤差を示すトラッキングエラー信号を生成するトラッキングエラー生成手段と、
前記トラッキングエラー信号に応じて前記対物レンズをその光軸方向に垂直な方向に駆動制御するトラッキング制御手段と、
前記第１光源と前記合成プリズムとの間の前記第１レーザビームの光路上に配置された球面収差補正素子と、
前記球面収差補正素子による球面収差の補正状態を制御する球面収差制御手段と、を備える光記録媒体ドライブ装置の記録方法であって、
前記第１フォーカス制御手段によって前記第２レーザビームの焦点が前記ガイド層上に位置するように前記第２フォーカスエラー信号に応じて前記対物レンズを制御する第１ステップと、
前記第２フォーカス制御手段によって前記第２レーザビームの焦点が前記ガイド層に位置するように前記倍率変換素子を制御する第２ステップと、
前記トラッキング制御手段によって前記第２レーザビームの集光スポット位置が前記ガイド層のガイドトラック上に位置するように前記トラッキングエラー信号に応じて前記対物レンズを制御する第３ステップと、
前記第１ステップないし前記第３ステップの実行後、前記第２光検出手段の出力信号に基づいてアドレス情報を含む記録媒体情報を読み取る第４ステップと、
前記第２フォーカス制御手段によって前記第１レーザビームによる前記記録層への記録に適した作動距離にするように前記倍率変換素子を制御する第５ステップと、
前記球面収差制御手段によって前記球面収差補正素子を前記記録層の再生に最適な補正状態に制御する第６ステップと、
前記第１フォーカス制御手段によって前記第１レーザビームの焦点が前記記録層上に位置するように前記第２フォーカスエラー信号に代えて前記第１フォーカスエラー信号に応じて前記対物レンズを制御する第７ステップと、
前記第２フォーカス制御手段によって前記第２レーザビームの焦点がガイド層に位置するように第２フォーカスエラー信号に応じて前記倍率変換素子を制御する第８ステップと、
前記第５ステップないし前記第８ステップの実行後、前記記録媒体情報に基づいて前記第１レーザビームを変調して前記記録層への記録を開始させる第９ステップと、含むことを特徴とする記録方法。
【手続補正２】
【補正対象書類名】明細書
【補正対象項目名】０００７
【補正方法】変更
【補正の内容】
【０００７】
請求項１に係る発明の光記憶媒体ドライブ装置は、ガイドトラックが形成されたガイド層と記録層とが離間して積層されたガイド層分離型の光記録媒体の前記記録層に対して前記ガイドトラックに従って情報の光学的な記録を行う光記録媒体ドライブ装置であって、記録用の第１レーザビームを発生する第１光源と、ガイド用の第２レーザビームを発生する第２光源と、前記第１レーザビームと前記第２レーザビームとを合成して同軸に導く合成プリズムと、前記合成プリズムからの前記第１及び第２レーザビーム各々を前記光記録媒体に向けて集光させる対物レンズと、前記第１レーザビームの前記記録層からの反射光を検出する第１光検出手段と、前記第２レーザビームの前記ガイド層からの反射光を検出する第２光検出手段と、前記第２光源と前記合成プリズムとの間の前記第２レーザビームの光路上に配置され前記対物レンズに入射する前記第２レーザビームを拡散又収束させる倍率変換素子と、前記第１光検出手段の出力信号に基づいて前記第１レーザビームの集光スポット位置と前記記録層との誤差を示す第１フォーカスエラー信号を生成する第１フォーカスエラー生成手段と、前記第２光検出手段の出力信号に基づいて前記第２レーザビームの集光スポット位置と前記ガイド層との誤差を示す第２フォーカスエラー信号を生成する第２フォーカスエラー生成手段と、前記第１フォーカスエラー信号に応じて前記対物レンズをその光軸方向に制御する第１フォーカス制御手段と、前記第２フォーカスエラー信号に応じて前記倍率変換素子による前記第２レーザビームの拡散又収束の大きさを制御する第２フォーカス制御手段と、前記第１光検出手段の出力信号に基づいて前記第１レーザビームの集光スポット位置と前記ガイド層のガイドトラックとの誤差を示す第１トラッキングエラー信号を生成する第１トラッキングエラー生成手段と、前記第２光検出手段の出力信号に基づいて前記第２レーザビームの集光スポット位置と前記ガイド層のガイドトラックとの誤差を示す第２トラッキングエラー信号を生成する第２トラッキングエラー生成手段と、前記第１トラッキングエラー信号又は第２トラッキングエラー信号に応じて前記対物レンズをその光軸方向に垂直な方向に駆動制御するトラッキング制御手段と、前記第１光源と前記合成プリズムとの間の前記第１レーザビームの光路上に配置された球面収差補正素子と、前記球面収差補正素子による球面収差の補正状態を制御する球面収差制御手段と、メイン制御手段と、を備え、前記メイン制御手段は、前記球面収差制御手段によって前記球面収差補正素子が前記ガイド層の再生に最適な補正状態に制御され、前記第１フォーカス制御手段によって前記第１フォーカスエラー信号に応じた前記対物レンズの制御により前記第１レーザビームの焦点が前記ガイド層上に位置され、かつ前記トラッキング制御手段によって前記第１レーザビームの集光スポット位置が前記ガイド層のガイドトラック上に位置するように前記第１トラッキングエラー信号に応じて前記対物レンズが制御されたとき、前記第１光検出手段の出力信号に基づいてアドレス情報を含む記録媒体情報を読み取り、前記第２フォーカス制御手段によって前記第２レーザビームの焦点が前記ガイド層に位置するように前記倍率変換素子が制御され、前記第２フォーカス制御手段によって前記第２レーザビームの焦点がガイド層に位置するように第２フォーカスエラー信号に応じて前記倍率変換素子が制御され、前記トラッキング制御手段によって前記第２レーザビームの集光スポット位置が前記ガイド層のガイドトラック上に位置するように前記トラッキングエラー信号に応じて前記対物レンズが制御され、かつ前記第１フォーカス制御手段による前記対物レンズの制御により前記第１レーザビームの焦点を前記記録層へフォーカスジャンプさせたとき、前記記録媒体情報に基づいて前記第１レーザビームを変調して前記記録層への記録を開始させることを特徴としている。
請求項３に係る発明の光記憶媒体ドライブ装置は、ガイドトラックが形成されたガイド層と記録層とが離間して積層されたガイド層分離型の光記録媒体の前記記録層に対して前記ガイドトラックに従って情報の光学的な記録を行う光記録媒体ドライブ装置であって、記録用の第１レーザビームを発生する第１光源と、ガイド用の第２レーザビームを発生する第２光源と、前記第１レーザビームと前記第２レーザビームとを合成して同軸に導く合成プリズムと、前記合成プリズムからの前記第１及び第２レーザビーム各々を前記光記録媒体に向けて集光させる対物レンズと、前記第１レーザビームの前記記録層からの反射光を検出する第１光検出手段と、前記第２レーザビームの前記ガイド層からの反射光を検出する第２光検出手段と、前記第２光源と前記合成プリズムとの間の前記第２レーザビームの光路上に配置され前記対物レンズに入射する前記第２レーザビームを拡散又収束させる倍率変換素子と、前記第１光検出手段の出力信号に基づいて前記第１レーザビームの集光スポット位置と前記記録層との誤差を示す第１フォーカスエラー信号を生成する第１フォーカスエラー生成手段と、前記第２光検出手段の出力信号に基づいて前記第２レーザビームの集光スポット位置と前記ガイド層との誤差を示す第２フォーカスエラー信号を生成する第２フォーカスエラー生成手段と、前記第１フォーカスエラー信号又は第２フォーカスエラー信号に応じて前記対物レンズをその光軸方向に制御する第１フォーカス制御手段と、前記第２フォーカスエラー信号に応じて前記倍率変換素子による前記第２レーザビームの拡散又収束の大きさを制御する第２フォーカス制御手段と、前記第２光検出手段の出力信号に基づいて前記第２レーザビームの集光スポット位置と前記ガイド層のガイドトラックとの誤差を示すトラッキングエラー信号を生成するトラッキングエラー生成手段と、前記トラッキングエラー信号に応じて前記対物レンズをその光軸方向に垂直な方向に駆動制御するトラッキング制御手段と、前記第１光源と前記合成プリズムとの間の前記第１レーザビームの光路上に配置された球面収差補正素子と、前記球面収差補正素子による球面収差の補正状態を制御する球面収差制御手段と、メイン制御手段と、を備え、前記メイン制御手段は、前記第１フォーカス制御手段によって前記第２レーザビームの焦点が前記ガイド層上に位置するように前記第２フォーカスエラー信号に応じて前記対物レンズが制御され、前記第２フォーカス制御手段によって前記第２レーザビームの焦点が前記ガイド層に位置するように前記倍率変換素子が制御され、かつ前記トラッキング制御手段によって前記第２レーザビームの集光スポット位置が前記ガイド層のガイドトラック上に位置するように前記トラッキングエラー信号に応じて前記対物レンズが制御されたとき、前記第２光検出手段の出力信号に基づいてアドレス情報を含む記録媒体情報を読み取み、前記第２フォーカス制御手段によって前記第１レーザビームによる前記記録層への記録に適した作動距離にするように前記倍率変換素子が制御され、前記球面収差制御手段によって前記球面収差補正素子が前記記録層の再生に最適な補正状態に制御され、前記第１フォーカス制御手段によって前記第１レーザビームの焦点が前記記録層上に位置するように前記第２フォーカスエラー信号に代えて前記第１フォーカスエラー信号に応じて前記対物レンズが制御され、かつ前記第２フォーカス制御手段によって前記第２レーザビームの焦点がガイド層に位置するように第２フォーカスエラー信号に応じて前記倍率変換素子が制御されたとき、前記記録媒体情報に基づいて前記第１レーザビームを変調して前記記録層への記録を開始させることを特徴としている。
【手続補正３】
【補正対象書類名】明細書
【補正対象項目名】０００８
【補正方法】変更
【補正の内容】
【０００８】
請求項５に係る発明の光記憶媒体ドライブ装置の記録方法は、ガイドトラックが形成されたガイド層と記録層とが離間して積層されたガイド層分離型の光記録媒体の前記記録層に対して前記ガイドトラックに従って情報の光学的な記録を行うために、記録用の第１レーザビームを発生する第１光源と、ガイド用の第２レーザビームを発生する第２光源と、前記第１レーザビームと前記第２レーザビームとを合成して同軸に導く合成プリズムと、前記合成プリズムからの前記第１及び第２レーザビーム各々を前記光記録媒体に向けて集光させる対物レンズと、前記第１レーザビームの前記記録層からの反射光を検出する第１光検出手段と、前記第２レーザビームの前記ガイド層からの反射光を検出する第２光検出手段と、前記第２光源と前記合成プリズムとの間の前記第２レーザビームの光路上に配置され前記対物レンズに入射する前記第２レーザビームを拡散又収束させる倍率変換素子と、前記第１光検出手段の出力信号に基づいて前記第１レーザビームの集光スポット位置と前記記録層との誤差を示す第１フォーカスエラー信号を生成する第１フォーカスエラー生成手段と、前記第２光検出手段の出力信号に基づいて前記第２レーザビームの集光スポット位置と前記ガイド層との誤差を示す第２フォーカスエラー信号を生成する第２フォーカスエラー生成手段と、前記第１フォーカスエラー信号に応じて前記対物レンズをその光軸方向に制御する第１フォーカス制御手段と、前記第２フォーカスエラー信号に応じて前記倍率変換素子による前記第２レーザビームの拡散又収束の大きさを制御する第２フォーカス制御手段と、前記第１光検出手段の出力信号に基づいて前記第１レーザビームの集光スポット位置と前記ガイド層のガイドトラックとの誤差を示す第１トラッキングエラー信号を生成する第１トラッキングエラー生成手段と、前記第２光検出手段の出力信号に基づいて前記第２レーザビームの集光スポット位置と前記ガイド層のガイドトラックとの誤差を示す第２トラッキングエラー信号を生成する第２トラッキングエラー生成手段と、前記第１トラッキングエラー信号又は第２トラッキングエラー信号に応じて前記対物レンズをその光軸方向に垂直な方向に駆動制御するトラッキング制御手段と、前記第１光源と前記合成プリズムとの間の前記第１レーザビームの光路上に配置された球面収差補正素子と、前記球面収差補正素子による球面収差の補正状態を制御する球面収差制御手段と、を備える光記録媒体ドライブ装置の記録方法であって、前記球面収差制御手段によって前記球面収差補正素子を前記ガイド層の再生に最適な補正状態に制御する第１ステップと、前記第１フォーカス制御手段によって前記第１フォーカスエラー信号に応じた前記対物レンズの制御により前記第１レーザビームの焦点を前記ガイド層上に位置させる第２ステップと、前記トラッキング制御手段によって前記第１レーザビームの集光スポット位置が前記ガイド層のガイドトラック上に位置するように前記第１トラッキングエラー信号に応じて前記対物レンズを制御する第３ステップと、前記第１ステップないし前記第３ステップの実行後、前記第１光検出手段の出力信号に基づいてアドレス情報を含む記録媒体情報を読み取る第４ステップと、前記第２フォーカス制御手段によって前記第２レーザビームの焦点が前記ガイド層に位置するように前記倍率変換素子を制御する第５ステップと、前記第２フォーカス制御手段によって前記第２レーザビームの焦点がガイド層に位置するように第２フォーカスエラー信号に応じて前記倍率変換素子を制御する第６ステップと、前記トラッキング制御手段によって前記第２レーザビームの集光スポット位置が前記ガイド層のガイドトラック上に位置するように前記トラッキングエラー信号に応じて前記対物レンズを制御する第７ステップと、前記第１フォーカス制御手段による前記対物レンズの制御により前記第１レーザビームの焦点を前記記録層へフォーカスジャンプさせる第８ステップと、前記第５ステップないし前記第８ステップの実行後、前記記録媒体情報に基づいて前記第１レーザビームを変調して前記記録層への記録を開始させる第９ステップと、含むことを特徴としている。
請求項６に係る発明の光記憶媒体ドライブ装置の記録方法は、ガイドトラックが形成されたガイド層と記録層とが離間して積層されたガイド層分離型の光記録媒体の前記記録層に対して前記ガイドトラックに従って情報の光学的な記録を行うために、記録用の第１レーザビームを発生する第１光源と、ガイド用の第２レーザビームを発生する第２光源と、前記第１レーザビームと前記第２レーザビームとを合成して同軸に導く合成プリズムと、前記合成プリズムからの前記第１及び第２レーザビーム各々を前記光記録媒体に向けて集光させる対物レンズと、前記第１レーザビームの前記記録層からの反射光を検出する第１光検出手段と、前記第２レーザビームの前記ガイド層からの反射光を検出する第２光検出手段と、前記第２光源と前記合成プリズムとの間の前記第２レーザビームの光路上に配置され前記対物レンズに入射する前記第２レーザビームを拡散又収束させる倍率変換素子と、前記第１光検出手段の出力信号に基づいて前記第１レーザビームの集光スポット位置と前記記録層との誤差を示す第１フォーカスエラー信号を生成する第１フォーカスエラー生成手段と、前記第２光検出手段の出力信号に基づいて前記第２レーザビームの集光スポット位置と前記ガイド層との誤差を示す第２フォーカスエラー信号を生成する第２フォーカスエラー生成手段と、前記第１フォーカスエラー信号又は第２フォーカスエラー信号に応じて前記対物レンズをその光軸方向に制御する第１フォーカス制御手段と、前記第２フォーカスエラー信号に応じて前記倍率変換素子による前記第２レーザビームの拡散又収束の大きさを制御する第２フォーカス制御手段と、前記第２光検出手段の出力信号に基づいて前記第２レーザビームの集光スポット位置と前記ガイド層のガイドトラックとの誤差を示すトラッキングエラー信号を生成するトラッキングエラー生成手段と、前記トラッキングエラー信号に応じて前記対物レンズをその光軸方向に垂直な方向に駆動制御するトラッキング制御手段と、前記第１光源と前記合成プリズムとの間の前記第１レーザビームの光路上に配置された球面収差補正素子と、前記球面収差補正素子による球面収差の補正状態を制御する球面収差制御手段と、を備える光記録媒体ドライブ装置の記録方法であって、前記第１フォーカス制御手段によって前記第２レーザビームの焦点が前記ガイド層上に位置するように前記第２フォーカスエラー信号に応じて前記対物レンズを制御する第１ステップと、前記第２フォーカス制御手段によって前記第２レーザビームの焦点が前記ガイド層に位置するように前記倍率変換素子を制御する第２ステップと、前記トラッキング制御手段によって前記第２レーザビームの集光スポット位置が前記ガイド層のガイドトラック上に位置するように前記トラッキングエラー信号に応じて前記対物レンズを制御する第３ステップと、前記第１ステップないし前記第３ステップの実行後、前記第２光検出手段の出力信号に基づいてアドレス情報を含む記録媒体情報を読み取る第４ステップと、前記第２フォーカス制御手段によって前記第１レーザビームによる前記記録層への記録に適した作動距離にするように前記倍率変換素子を制御する第５ステップと、前記球面収差制御手段によって前記球面収差補正素子を前記記録層の再生に最適な補正状態に制御する第６ステップと、前記第１フォーカス制御手段によって前記第１レーザビームの焦点が前記記録層上に位置するように前記第２フォーカスエラー信号に代えて前記第１フォーカスエラー信号に応じて前記対物レンズを制御する第７ステップと、前記第２フォーカス制御手段によって前記第２レーザビームの焦点がガイド層に位置するように第２フォーカスエラー信号に応じて前記倍率変換素子を制御する第８ステップと、前記第５ステップないし前記第８ステップの実行後、前記記録媒体情報に基づいて前記第１レーザビームを変調して前記記録層への記録を開始させる第９ステップと、含むことを特徴としている。
【手続補正４】
【補正対象書類名】明細書
【補正対象項目名】０００９
【補正方法】変更
【補正の内容】
【０００９】
請求項１，３に係る発明の光記録媒体ドライブ装置及び請求項５，６に係る発明の記録方法によれば、第１レーザビームの集光スポット位置と光記録媒体の記録層との誤差を示す第１フォーカスエラー信号に応じて対物レンズをその光軸方向に制御し、第２レーザビームの集光スポット位置と光記録媒体のガイド層との誤差を示す第２フォーカスエラー信号に応じて倍率変換素子による第２レーザビームの拡散又収束の大きさを制御し、これにより第１レーザビームを記録層上に集光させ、第２レーザビームをガイド層上に集光させるので、ガイド層分離型の光記録媒体に記録する際に高精度で安定してガイド光をガイド層のガイドトラックに追従させつつ目標の記録層に記録光を集光させて情報を記録することができる。
【国際調査報告】
2010122659.tif 000016
2010122659.tif 000017
2010122659.tif 000018